(57)【要約】      （修正有）【課題】本物の餌のサイズを再現しつつ、フッキング力を高めた疑似餌を提供する。【解決手段】魚釣用疑似餌１は、透光性を有する軟質樹脂材により形成された本体部２と、該本体部２の底部の両端部分であって該本体部２の長手方向に垂直な方向における両端部分から該本体部２の底部より下方向にそれぞれ延びる、透光性を有する軟質樹脂材により形成された突出部３と、該本体部２の側面方向から入光した光を反射させる反射板５と、を備え、該反射板５は、前記本体部２の長手方向に沿って埋設され、該反射板５の少なくとも一部は、前記突出部３に埋設される。【選択図】図１
2019092468.tif 000002
【特許請求の範囲】
【請求項１】
透光性を有する軟質樹脂材により形成された本体と、該本体部の底部の両端部分であって該本体の長手方向に垂直な方向における両端部分から該本体部の底部より下方向にそれぞれ延びる、透光性を有する軟質樹脂材により形成された突出部と、該本体部の側面方向から入光した光を反射させる反射板と、を備え、
該反射板は、前記本体部の長手方向に沿って埋設され、該反射板の少なくとも一部は、前記突出部に埋設されることを特徴とする魚釣用疑似餌。
【請求項２】
前記反射板は、前記本体の長手方向に垂直な方向でみて該本体部の長手方向の中心線を挟んで対向するように埋設されていることを特徴とする請求項１に記載の魚釣用疑似餌。
【請求項３】
前記突出部の間に凹部が形成され、前記本体部は、該凹部を通って該本体へ釣針を刺すことができる針刺部を備えていることを特徴とする請求項１又は２に記載の魚釣用疑似餌。
【請求項４】
前記凹部は、前記本体部の長手方向に沿って前記突出部の間に形成されることを特徴とする請求項３に記載の魚釣用疑似餌。
【請求項５】
前記本体部の上面の両端部分であって該本体部の長手方向に垂直な方向における両端部分から該本体部の上面より上方向にそれぞれ延びる突出部をさらに備えることを特徴とする請求項１から４までのいずれか１項に記載の魚釣用疑似餌。
【発明の詳細な説明】
【技術分野】
【０００１】
本発明は、魚釣用疑似餌に係わり、より詳細には、軟質樹脂材により形成されたワームと呼ばれる疑似餌に関する。
【背景技術】
【０００２】
従来より、本物の餌に似せた形状を備え、水中における動き、反射光、色等を再現することで魚を誘うように構成された疑似餌（ルアー）を使用した魚釣りが知られている。
【０００３】
そのような疑似餌の１つとして、合成樹脂やゴム等の軟質材料により形成されるソフトルアー（ワームともいわれる）があり、硬質材料で形成されたハードルアーと比較して、水流に応じた変形や微細な動作を再現し易いという利点がある。
【０００４】
特許文献１には、このようなワームにあって、魚に対して強いアピールができると共に、疑似餌の中心軸上に容易に刺すことができ、しかも、刺さった釣針が外部から目立たないようにすることができる疑似餌を提供することが開示されている。
【先行技術文献】
【特許文献】
【０００５】
【特許文献１】特開２０００−３３３５５８号公報
【発明の概要】
【発明が解決しようとする課題】
【０００６】
しかしながら、特許文献１に開示の疑似餌では、本物の餌に似せるために疑似餌の腹を中心とした広範囲に亘って反射板が埋め込まれているため、ワームの厚さや高さを一定程度大きく形成する必要があり、魚が疑似餌を銜えた際の釣り針によるフッキング力が必ずしも十分とはいえないという問題がある。
【０００７】
一方で、疑似餌のサイズを小さく形成すればフッキング力を高めることはできるが、想定している本物の餌よりも小さく形成せざるを得ないため、本物の餌を再現するという目的を達成できないという問題がある。
【０００８】
本発明の実施形態は、上記のような問題点に鑑み、本物の餌のサイズを再現しつつ、フッキング力を高めた疑似餌を提供することを目的とする。本発明の実施形態の他の目的は、本明細書全体を参照することにより明らかとなる。
【課題を解決するための手段】
【０００９】
本発明の一実施形態に係る魚釣用疑似餌は、透光性を有する軟質樹脂材により形成された本体部と、該本体の底部の両端部分であって該本体の長手方向に垂直な方向における両端部分から該本体部の底部より下方向にそれぞれ延びる、透光性を有する軟質樹脂材により形成された突出部と、該本体部の側面方向から入光した光を反射させる反射板と、を備え、該反射板は、前記本体部の長手方向に沿って埋設され、該反射板の少なくとも一部は、前記突出部に埋設される。
【００１０】
本発明の一実施形態に係る魚釣用疑似餌は、反射板が、本体の長手方向に垂直な方向でみて該本体部の長手方向の中心線を挟んで対向するように埋設されている。
【００１１】
本発明の一実施形態に係る魚釣用疑似餌は、突出部の間に凹部が形成され、本体は、該凹部を通って該本体へ釣針を刺すことができる針刺部を備えている。
【００１２】
本発明の一実施形態に係る魚釣用疑似餌は、凹部が、本体の長手方向に沿って突出部の間に形成される。
【００１３】
本発明の一実施形態に係る魚釣用疑似餌は、本体部の上面の両端部分であって該本体部の長手方向に垂直な方向における両端部分から該本体部の上面より上方向にそれぞれ延びる突出部をさらに備える。
【発明の効果】
【００１４】
本発明の様々な実施形態により、疑似餌の腹から背の方向における寸法に対して本体の同方向の寸法を小さくすることでフッキング力を高めつつ、反射板を突出部にも埋設することで疑似餌の腹の外観を本物の腹の外観に近付けることが可能となる。その結果、本物により近く、かつ魚釣りに効果的な疑似餌を提供するが可能となる。
【図面の簡単な説明】
【００１５】
【図１】本発明の一実施形態による疑似餌１を模式的に示す図である。
【図２】本発明の一実施形態による疑似餌１を模式的に示す図である。
【図３】本発明の一実施形態による疑似餌１を模式的に示す図である。
【図４】本発明の一実施形態による疑似餌１の概略を模式的に示す図である。
【発明を実施するための形態】
【００１６】
以下、適宜図面を参照し、本発明の様々な実施形態を説明する。なお、各図面において共通する構成要素に対しては同一の参照符号が付されている。各図面は、説明の便宜上、必ずしも正確な縮尺で記載されているとは限らない。以下、本発明の実施形態について図面に基づき説明する。
【００１７】
まず、図４を参照して、本発明の実施形態における疑似餌１の部材の一部を説明する。本明細書では、図４（ａ）の紙面の左右方向を疑似餌１（若しくは後述する疑似餌１の本体２）の長手方向と定義する。本明細書では、当該長手方向に垂直な方向は、図４（ａ）の紙面の上下方向とする。本明細書では、図４（ａ）の紙面の上下方向における疑似餌１の長さは、疑似餌１の厚さという。また、疑似餌１の厚さが最も厚い箇所を最大厚さと呼ぶ。
【００１８】
本明細書では、図４（ｂ）の紙面の上下方向における疑似餌１の長さを疑似餌１の高さと定義する。疑似餌１の高さが最も高い箇所を最大高さと呼ぶ。その他、疑似餌１の構成部材の高さという場合には、図４（ｂ）の紙面の上下方向における長さを意味するものとする。図４（ｂ）の紙面の上下方向における疑似餌１の上端側を背側といい、下端側を腹側という。また、図４（ｂ）の紙面の上下方向における上方向を疑似餌１の上方といい、下方向は下方という。
【００１９】
疑似餌１は、透光性を有する軟質樹脂材、例えば、熱可塑剤を添加した塩化ビニル樹脂等からなり、中心軸を基準に当該長手方向に垂直な方向でみて対称に形成されている。
【００２０】
疑似餌１の外形の形状に特段の限定はないが、水中において本体に水流を受けて蛇行したり泳ぐような動作をすることで、本物の餌（魚）の動きを再現できるような適宜形状が工夫されてよい。
【００２１】
図４（ａ）に示すように、疑似餌１の内部には２つの反射板５が埋設されている。この反射板５は疑似餌１の長手方向に垂直な方向（疑似餌１の厚さ方向）でみて中心線を挟んで対向するように埋設されており、反射面が少なくとも疑似餌１の側面から見えるように中心軸Ｘ１（中心線）に沿って平行に配置されている。
【００２２】
反射板５は、例えば、ポリプロピレン、ポリエチレンテフタレート等といった熱可撓性を有する合成樹脂材からなる基板に、ホログラムシートやアルミ箔等といった光輝性を有するシート材を接着剤によって貼着することによって形成されてもよい。その他、当該基板上に公知の手法（例えば湿式鍍金、真空蒸着、イオンプレーティング等）を用いてＡｌ、Ｎｉ、Ａｇ、Ｃｕ等の金属でコーティングを施したものであってもよい。これらは例示であり、反射板５の形成方法や材料は適宜決定することができる。
【００２３】
反射板５をこのように配置することにより、疑似餌１の２つの反射板間の中心軸Ｘ１付近に釣針４を刺すことができる。詳細は後述する。
【００２４】
反射板５の上下方向の高さは、疑似餌１の最大高さの３０〜８０％程度の大きさを有するように構成される。これにより、疑似餌の側面視における反射板５の視認率が高くなり、魚からの視認性を高めることができる。
【００２５】
次に、図１に、本発明の一実施形態における疑似餌１の詳細を説明する。図１（ａ）は、疑似餌１を側面からみた構成を示す。疑似餌１は、本体部２と突出部３により構成される。なお、説明の便宜のため、図１（ａ）、（ｂ）では反射板５を省略する。
【００２６】
図１（ａ）では、疑似餌１に釣針８が刺された通常の状態を示している。一方、図１（ｂ）では、疑似餌１が魚に銜えられた場合において釣針８の先端部分が疑似餌の上方向（疑似餌１の背方向）へ突出した様子を示している。
【００２７】
図１（ｃ）は、図１（ａ）の状態の疑似餌１を図示の所定の断面Ｈでみた断面図である。図示のように、疑似餌１は、本体部１と、疑似餌の腹側に形成された突出部３とから構成され、本体部１の中央領域には、釣針８が刺される針刺部４が形成される。釣刺部４は、疑似餌１の長手方向に沿って延びるように形成されている。このようにして、釣刺部４は、様々な釣針８の大きさに対応することができる。
【００２８】
図１（ｃ）に示すように、突出部３は、疑似餌１の本体部２の厚さ方向でみて両端部分から疑似餌の高さ方向でみて下方に延びるように形成されている。図示の例では、疑似餌１の本体部２の厚さ方向でみた各端部部分から下方向へ延びる２つの突出部３が形成され、当該突出部３の間に凹部６が形成される。
【００２９】
本発明の一実施形態における突出部３の下方向に延びる最大長さ（Ａ）は、疑似餌１の最大高さよりも小さい範囲で適宜設定可能に構成される。また、本発明の一実施形態における突出部３の下方向に延びる長さ（Ａ）は、疑似餌１の本体部２の底部からの最大高さ（Ｂ）以上若しくは未満となる範囲で適宜設定可能に構成される。なお、突出部３の幅に限定はなく、任意に設定可能である。
【００３０】
次に、図１（ｄ）は、図１（ｂ）の状態の疑似餌１を図示の所定の断面Ｈでみた断面図である。図示のように、疑似餌１は、本体部１と突出部３から構成され、本体部１の中央領域には、釣針８が刺される針刺部４が形成される。上述の通り、釣刺部４は、疑似餌１の長手方向に沿って延びるように形成されている。このようにして、釣刺部４は、様々な釣針８の大きさに対応することができる。
【００３１】
本発明の一実施形態における疑似餌１の内部には、２つの反射板５が埋設されている。この反射板５は疑似餌１の長手方向に垂直な方向（疑似餌１の厚さ方向）でみて中心軸Ｘ２（中心線）を挟んで対向するように埋設されており、反射面が少なくとも疑似餌１の側面から見えるように中心軸Ｘ２（中心線）に沿って配置されている。当該反射板のそれぞれは、疑似餌の本体部２の側面に沿って疑似餌１の背側から腹側へ延びるように埋設され、当該反射板５の一部は突出部３にも埋設されている。これにより、反射板５の表面積を最大限確保することができるため、疑似餌１の側面視における反射板５の視認率を高め、魚からの視認性を向上させることができる。
【００３２】
図１（ｄ）に示すように、疑似餌１の本体部２の厚さ方向でみた各端部部分から下方向へ延びる２つの突出部３が形成されており、当該突出部３の間の凹部６に釣針８が収容される空間が形成されている。このようにして、疑似餌１が魚にくわえられた場合、釣針８の疑似餌１の長手方向に略平行となる部分が、当該凹部６に収容されることで、凹部６がない場合と比して、釣針８の先端部分の疑似餌１の高さ方向でみた上方への突出量を大きくすることができ、魚を針に掛けるためのフッキング力を大幅に向上させることができる。
【００３３】
図２を参照して、本発明の一実施形態における疑似餌１の詳細を説明する。図２（ａ）は、図１（ａ）と同様、疑似餌１を側面からみた構成を示すものである。当該疑似餌１は、本体部２と突出部７により構成される。なお、説明の便宜のため、図２（ａ）、（ｂ）では、図１（ａ）、（ｂ）と同様に反射板５を省略する。
【００３４】
図２（ａ）では、疑似餌１に釣針８が刺された通常の状態を示している。一方、図２（ｂ）では、疑似餌１が魚に銜えられた場合において釣針８の先端部分が疑似餌の上方向（疑似餌１の背方向）へ突出した様子を示している。
【００３５】
図２（ｃ）は、図２（ａ）の状態の疑似餌１を図示の所定の断面Ｈでみた断面図である。図示のように、疑似餌１は、本体部１と、疑似餌１の背側に形成された突出部７とから構成され、本体部１の中央領域には、釣針８が刺される針刺部４が形成される。釣刺部４は、疑似餌１の長手方向に沿って延びるように形成されている。このようにして、釣刺部４は、様々な釣針８の大きさに対応することができる。
【００３６】
図２（ｃ）に示すように、突出部７は、疑似餌１の本体部２の厚さ方向でみて両端部分から疑似餌の高さ方向でみて上方に延びるように形成されている。図示の例では、疑似餌１の本体部２の厚さ方向でみた各端部部分から上方向へ延びる２つの突出部７が形成され、当該突出部７の間に凹部９が形成される。
【００３７】
本発明の一実施形態における突出部７の上方向に延びる最大長さ（Ｃ）は、疑似餌１の最大高さよりも小さい範囲で適宜設定可能に構成される。また、本発明の一実施形態における突出部７の上方向に延びる長さ（Ｃ）は、疑似餌１の本体部２の底部からの最大高さ（Ｂ）以上若しくは未満となる範囲で適宜設定可能に構成される。なお、突出部３の幅に限定はなく、任意に設定可能である。
【００３８】
図示のように、図２（ａ）の状態において、釣針８が突出部７の間に形成された凹部９に配置される。このようにして、釣針８の先端部分が、疑似餌１の最外周よりも内側に形成されるため、釣針８の根掛かりを効果的に防止することができる。
【００３９】
図２（ｄ）は、図１（ｂ）の状態の疑似餌１を図示の所定の断面Ｈでみた断面図である。図示のように、疑似餌１は、本体部１と突出部７から構成され、本体部１の中央領域には、釣針８が刺される針刺部４が形成される。上述の通り、釣刺部４は、疑似餌１の長手方向に沿って延びるように形成されている。このようにして、釣刺部４は、様々な釣針８の大きさに対応することができる。
【００４０】
本発明の一実施形態における疑似餌１の内部には、２つの反射板５が埋設されている。この反射板５は疑似餌１の長手方向で垂直な方向（疑似餌１の厚さ方向）でみて中心軸Ｘ２（中心線）を挟んで対向するように埋設されており、反射面が少なくとも疑似餌１の側面から見えるように中心軸Ｘ２（中心線）に沿って平行に配置されている。当該反射板のそれぞれは、疑似餌の本体部２の側面に沿って疑似餌１の背側から腹側へ延びるように埋設されている。これにより、反射板５の表面積を最大限確保することができるため、疑似餌１の側面視における反射板５の視認率を高め、魚からの視認性を向上させることができる。
【００４１】
次に、図３を参照して、本発明の一実施形態における疑似餌１の詳細を説明する。図３（ａ）は、疑似餌１を側面からみた構成を示す。疑似餌１は、本体部２と突出部３と突出部７により構成される。なお、説明の便宜のため、図３（ａ）、（ｂ）では反射板５を省略する。
【００４２】
図３（ａ）では、疑似餌１に釣針８が刺された通常の状態を示している。一方、図３（ｂ）では、疑似餌１が魚に銜えられた場合において釣針８の先端部分が疑似餌の上方向（疑似餌１の背方向）へ突出した様子を示している。
【００４３】
図３（ｃ）は、図３（ａ）の状態の疑似餌１を図示の所定の断面Ｈでみた断面図である。図示のように、疑似餌１は、本体部１と、疑似餌の腹側に形成された突出部３と、疑似餌の背側に形成された突出部７とから構成され、本体部１の中央領域には、釣針８が刺される針刺部４が形成される。釣刺部４は、疑似餌１の長手方向に沿って延びるように形成されている。このようにして、釣刺部４は、様々な釣針８の大きさに対応することができる。
【００４４】
図３（ｃ）に示すように、突出部３は、疑似餌１の本体部２の厚さ方向でみて両端部分から疑似餌の高さ方向でみて下方に延びるように形成されている。図示の例では、疑似餌１の本体部２の厚さ方向でみた各端部部分から下方向へ延びる２つの突出部３が形成され、当該突出部３の間に凹部６が形成される。
【００４５】
また、図３（ｃ）に示すように、突出部７は、疑似餌１の本体部２の厚さ方向でみて両端部分から疑似餌の高さ方向でみて上方に延びるように形成されている。図示の例では、疑似餌１の本体部２の厚さ方向でみた各端部部分から上方向へ延びる２つの突出部７が形成され、当該突出部７の間に凹部９が形成される。
【００４６】
図示のように、図３（ａ）の状態において、釣針８が突出部７の間に形成された凹部９に配置される。このようにして、釣針８の先端部分が、疑似餌１の最外周よりも内側に形成されるため、釣針８の根掛かりを効果的に防止することができる。
【００４７】
次に、図３（ｄ）は、図３（ｂ）の状態の疑似餌１を図示の所定の断面Ｈでみた断面図である。図示のように、疑似餌１は、本体部１と突出部３と突出部７とから構成され、本体部１の中央領域には、釣針８が刺される針刺部４が形成される。上述の通り、釣刺部４は、疑似餌１の長手方向に沿って延びるように形成されている。このようにして、釣刺部４は、様々な釣針８の大きさに対応することができる。
【００４８】
本発明の一実施形態における疑似餌１の内部には、２つの反射板５が埋設されている。この反射板５は疑似餌１の長手方向で垂直な方向（疑似餌１の厚さ方向）でみて中心軸Ｘ２（中心線）を挟んで対向するように埋設されており、反射面が少なくとも疑似餌１の側面から見えるように中心軸Ｘ２（中心線）に沿って平行に配置されている。当該反射板のそれぞれは、疑似餌の本体部２の側面に沿って疑似餌１の背側から腹側へ延びるように埋設され、当該反射板５の一部は突出部３にも埋設されている。これにより、反射板５の表面積を最大限確保することができるため、疑似餌１の側面視における反射板５の視認率を高め、魚からの視認性を向上させることができる。
【００４９】
図３（ｄ）に示すように、疑似餌１の本体部２の厚さ方向でみた各端部部分から下方向へ延びる２つの突出部３が形成されており、当該突出部３の間の凹部６に釣針８が収容される空間が形成されている。このようにして、疑似餌１が魚に銜えられえた場合、釣針８の疑似餌１の長手方向に略平行となる部分が、当該凹部６に収容されることで、凹部６がない場合と比して、釣針８の先端部分の疑似餌１の高さ方向でみた上方への突出量を大きくすることができ、魚を針に掛けるためのフッキング力を大幅に向上させることができる。
【００５０】
本発明の実施形態は、上述した実施形態に限定されるものではなく、その要旨を逸脱しない範囲で様々な変更が可能である。例えば、疑似餌１の本体部２に埋設される反射板５は、平板状である必要はなく、断面が波形、円弧状、コ字状、く字状等の形状に形成されていてもよいし、中心軸Ｘを挟んで平行に設けたものではなく、断面がハ字状に埋設されているものであってもよい。また、突出部３や突出部７の形状は適宜変更可能であり、また、その数も２つのみに限定することを意図するものではない。
【００５１】
本明細書で説明された各構成要素の寸法、材料、及び配置は、実施形態中で明示的に説明されたものに限定されず、この各構成要素は、本発明の範囲に含まれうる任意の寸法、材料、及び配置を有するように変形することができる。また、本明細書において明示的に説明していない構成要素を、説明した実施形態に付加することもできるし、各実施形態において説明した構成要素の一部を省略することもできる。
【符号の説明】
【００５２】
１  疑似餌
２  本体部
３  突出部
４  釣刺部
５  反射板
６  凹部
７  突出部
８  釣針
９  凹部
【図１】
2019092468.tif 000003
【図２】
2019092468.tif 000004
【図３】
2019092468.tif 000005
【図４】
2019092468.tif 000006